(57)【要約】      （修正有）【課題】自由なリスニング環境に即した新しい音楽鑑賞スタイルの提示  【解決手段】通常正面の左右2対となったスピーカーシステムをそれらが直角に交わる配置とし、さらにその裏側にもう一対のＬＲスピーカーを設ける。それによって、スピーカーの横、裏側でもハイファイサウンドを楽しむことが可能になる。付加的機能として、それらが回転または移動する機能を取り入れる。そのことにより、出力音自体が「動く」という３Ｄ的なサウンドシステムを手軽に実現できる。 【選択図】図１
0003124331.tif 000002
【実用新案登録請求の範囲】
【請求項１】
スピーカーシステムの表裏の複数配置により、リスニング位置を限定させないシステムを実現すること
【請求項２】
ステレオスピーカーを回転、または移動させることで新しい音場空間を提示すること
【考案の詳細な説明】
【技術分野】
【０００１】
オーディオ分野に関する
【背景技術】
【０００２】
デスクトップスピーカーや一般スピーカーなどのその構成配置は、ＬとＲの左右配置が常で、その音場は基本的にスピーカー正面から聞く人間方向に向かっているのが基本になっている。
【特許文献１】なし
【考案の開示】
【考案が解決しようとする課題】
【０００３】
部屋のどこにいても、ステレオ感を味わえる手軽なリスニングシステムの提示、そして従来のリスニングシステムにはなかった音場の創造
【課題を解決するための手段】
【０００４】
スピーカーシステム本体のＬ側Ｒ側を同居させて、上からみて円形または正方形の形状とさせ、スピーカーを倍である表裏の計４箇所の配置とさせる。さらにオプション的にそのシステム自体を可動性のものとする。
【考案の効果】
【０００５】
リスニングポジションをスピーカー前面に限定させず、部屋での移動中など、どの場所においてもＬＲの音場が聞き取れることが可能になる。
【考案を実施するための最良の形態】
【０００６】
システムを上から見た場合、図１で示すようなスピーカーユニット配置にする。この配置は、左右のスピーカー位置が接近しているため、音の定位は一般オーディオシステムに比べ取りづらくなるが、手軽に使うことが前提であるデスクトップシステムでは、個々の音の定位や位置関係などの細かい音場感は求められていないように思われる。しかし、リスニングシステムとしてその聴感上のステレオ感だけは最低限求められる。によって、人間の左右の耳にステレオに振り分けた音をシステムとして提供することを可能とさせる。
【０００７】
図１でのリスニングポジション１では、ＬとＲの発生音が最も理想的に耳へ提供される。そして、リスニングポジションが２になった場合でも、それと同じ音響でＬとＲが聞き分けることが出来る。通常のスピーカーだとこの２の位置がポジションの場合、まったくハイファイ感のない、こもった音しか聞き取ることが出来ない。また図に直線矢印で示したように、スピーカーはユニット中央の半円形状になったコーンから伝達する音が、音を左右上下に拡散させる特性を持っていて、ポジション３にいてもある程度の割合でＬ側の発生音を受け取ることができる。この図で見ると、ポジション１ではＬ１からの発生音が右耳に入ってくる構図に見えるが、あくまでもバランス上の比率ではＲ１からの音量がポジション１での右耳に入る割合が多いわけで、こういった場合人間はステレオ感を充分感じることが出来る。
【０００８】
そしてリスニングポジション４にいた場合、人間側はＬとＲの音場を、いわゆるＲＬとして受け取る結果になるが、ステレオの音源を左右反対として人間が受け取ったとしてもそれは、なんら問題が発生することではなく、個人で所有する音楽に関してその使用方法は自由であり、ＬＲをＲＬとして受け取ることは個人の選択の自由である。むしろ、音楽に対してそれに束縛されない自由なリスニング環境が求められている現代において、ユーザーの部屋内の場所移動での常にハイファイ感あるシステムを提示することは、ユーザー自身の希求している権利のように考える。音楽を受け取る際に通常求められるのは、あの音が右側に存在しているという事実より、その音場感があるかないかだけのことである。
【０００９】
この場合で、リスニングに際して音の左右感が持てないポジションとして、図でのポジション５の位置、つまり１つのスピーカーユニットの真正面にいた時の場合があげられる。この位置は基本的にＲ側の出力の受け取り量がもっとも多い割合になり、Ｌ側の発生音も左右同じ比率で入ってきて、結果ＬとＲがミックスされたモノラルのリスニングポイントともなり得るが、実際には、部屋の壁からの反響音も存在、関係するわけであり、それらが複雑に反響した場合には左と右の耳に入ってくるＬ側の発生音が若干の変容を伴うこととなり、完璧なモノラル状態になるわけではない。
【００１０】
これは、部屋のリスニングポジションを限定しないシステムであるということの他に、通常２つの固体を必要としていたスピーカーシステムが１つで機能することになり、それは使用者が設置する場所を決める上での利点になる。
【実施例】
【００１１】
0006項から0009項までが、本考案の基本的提示であるが、もうひとつ、このシステムへの別の新しいリスニング方法の提示として、このユニット自体をモーターなどで回転させるアイディアがある。基本的にはこのシステムをＬ→Ｒ→Ｌ→Ｒまたはその逆に回す方法となるが、さらにそれを上下方向も合わせた、方向の無作為抽出とも言うべき性質の提示も考えられる。そのことによって、音楽リスニング中にＬＲの音場が縦横無尽に動くことを楽しめることになる。
【００１２】
音の性質上、低音部の発生音や、音楽自体の定位がセンター位置にあるものはユニットが動いたとしても聞き取り側では変化は感じられないが、高音部から中音部の帯域を持ち、なおかつミキシングにおいて左右に振り分けられているハイハット、カッティンッグギターやシンセサイザー、ストリングスなどの装飾音、そして原音にコーラス効果などを加えられているエフェクト音などは、同じリスニングポジションにおいて例えば左に定位した音の定位が、右に行ったり左に戻ったりすることになる。分かりやすく言うなら、音の飾り付けのみが目の前の場所を行ったり来たりと動き回るわけである。サラウンドシステムなどでこういった効果を表したものもあるとも考えられるが、このシステムは出力音自体が目の前で動くわけであり、このリアルさは、エフェクト装置によって擬似的に再現したものとは比べものにならないほど、ダイレクトに聞く人の耳へ届く世界である。オルガンなどに組み込まれていた「レスリースピーカー」なるものがあるが、あれはあくまでも単出力の音自体に効果をつける機構であって、本考案は２つの出力を連続的に移動させるもので、さらにオーディオ的な扱われ方をすると言う意味で、根本から使われ方が相違するものである。
【産業上の利用可能性】
【００１３】
リスニングポイントを固定させないという便宜性と、スピーカー自体がエフェクト作用をもたらすシステムであるという斬新性は、大衆に価値感ある魅力と購買欲をもたらすものである。
【図面の簡単な説明】
【００１４】
Ｌ１、Ｌ２、Ｒ１、Ｒ２は、本体スピーカのＬとＲとそれが2対あるということを示したものであり、ポジション１から５までは、本文中に述べたリスニングポジションを示すものである。
【図１】
0003124331.tif 000003
【手続補正書】
【提出日】平成18年5月18日(2006.5.18)
【手続補正１】
【補正対象書類名】実用新案登録請求の範囲
【補正対象項目名】全文
【補正方法】変更
【補正の内容】
【実用新案登録請求の範囲】
【請求項１】
スピーカーシステムを通常の倍のセットを一体化させ、それらを表裏配置することによる、鑑賞位置を限定させないスピーカーシステム
【請求項２】
ステレオスピーカー自体を回転、または移動させることで新しい音場効果を提示するスピーカーシステム
【手続補正書】
【提出日】平成18年6月13日(2006.6.13)
【手続補正１】
【補正対象書類名】実用新案登録請求の範囲
【補正対象項目名】全文
【補正方法】変更
【補正の内容】
【実用新案登録請求の範囲】
【請求項１】
左右のスピーカーシステムを、それらを直角に交わる位置に一体化させ、さらにその裏側にも同様に直角に一体化させたスピーカーセットを同居させ、通常の倍のセットが１つの立方体の中に集結することにより、スピーカー前位置でも後ろ位置でも同様にハイファイサウンドが鑑賞できるスピーカーシステム
【請求項２】
一つの固体にスピーカーユニットが集結することを特徴とする請求項１記載のスピーカーシステム自体を回転、または移動させることにより音のリアルな移動感覚といった新しい音場効果を提示するスピーカーシステム